(57)【特許請求の範囲】
【請求項１】
電気化学的バイオセンサであって、
下部基板、
前記下部基板上に形成される第１作用電極および第１補助電極を含む、第１電極部、
前記下部基板上に形成される第２作用電極および第２補助電極を含む、第２電極部、
前記第２作用電極上または前記第２補助電極上に形成される試薬層であって、電子移動メディエータを含む、前記試薬層、
各々が空洞を有するように区分され、それぞれ第１、第２および第３反応ユニットに対応した領域を有する絶縁カバーであって、前記第１反応ユニットは前記第１作用電極の位置に設けられ、前記第２反応ユニットは前記第１補助電極の位置に設けられ、前記第３反応ユニットは前記第２作用電極の位置に設けられる、前記絶縁カバー、
血液サンプルを前記第１電極部および前記第２電極部の中へ連続して導くためのマイクロチャネルサンプルセル部を具備する、中間基板、および、
上部基板を含み、
前記第１反応ユニットおよび前記第２反応ユニットに対して露出している第１作用電極および第１補助電極の間の距離は、絶縁カバーを利用することによって一定であり、
第１電極部は、血液サンプルの伝導率を測定することによってヘマトクリットを計算し、
第１電極部は、試薬層を欠いており、
第１反応ユニットおよび第２反応ユニットに露出している第１作用電極および第１補助電極の面積は同じである、
前記電気化学的バイオセンサ。
【請求項２】
絶縁カバーが、第１反応ユニットに対して露出している第１作用電極の少なくとも１つの傾斜端部、および、第２反応ユニットに対して露出している第１補助電極の少なくとも１つの傾斜端部を覆う、請求項１に記載の電気化学的バイオセンサ。
【請求項３】
絶縁カバーの厚さが、電極の厚さより小さい、請求項１に記載の電気化学的バイオセンサ。
【請求項４】
第１作用電極に位置付けられる第１反応ユニットおよび第１補助電極に位置付けられる第２反応ユニットが、第１および第２反応ユニットが少なくとも部分的に重なるように、血液がマイクロチャネルサンプルセル部の中へそれに沿って流れる方向である縦方向に対して垂直な線上の位置に設けられる、請求項１に記載の電気化学的バイオセンサ。
【請求項５】
第１作用電極の位置に設けられる第１反応ユニットおよび第１補助電極の位置に設けられる第２反応ユニットが同じ形を有する、請求項１に記載の電気化学的バイオセンサ。
【請求項６】
第１作用電極の位置に設けられる第１反応ユニットおよび第１補助電極の位置に設けられる第２反応ユニットが、血液がマイクロチャネルサンプルセル部の中へそれに沿って流れる方向である縦方向に対して垂直な線上で、縦方向の中心線に対してデカルコマニー形状で位置付けられる、請求項１に記載の電気化学的バイオセンサ。
【請求項７】
試薬層が酸化還元酵素をさらに含む、請求項１に記載の電気化学的バイオセンサ。
【請求項８】
第２電極部が、血液サンプルにおけるグルコースの酸化還元反応によって生じた電流を測定する、請求項１に記載の電気化学的バイオセンサ。
【請求項９】
第１電極部が、交流（ＡＣ）電圧を適用することによって電気伝導率を測定する、請求項１に記載の電気化学的バイオセンサ。
【請求項１０】
第２電極部が、直流（ＤＣ）電圧を適用することによってグルコースの酸化還元反応によって生じた電流を測定する、請求項１に記載の電気化学的バイオセンサ。
【請求項１１】
請求項１に記載のバイオセンサを使用してヘマトクリット値を適用することにより血液グルコース濃度を正確に測定するための方法であって、
マイクロチャネルサンプルセル部の中へ血液サンプルを導入すること（ステップ１）、
第１電極部において血液サンプルの電気伝導率を測定することによって、ヘマトクリット値を計算すること（ステップ２）、
第２電極部において信号を測定することによって、グルコース濃度を計算すること（ステップ３）、および、
第１電極部において計算されたヘマトクリット値を適用することによって、第２電極部において計算されたグルコース濃度を補正すること（ステップ４）、
を含む、前記方法。
【発明の詳細な説明】
【技術分野】
【０００１】
本発明は、血液サンプルの特性、特にヘマトクリットの影響を補正する機能を、電気化学的バイオセンサに与えることにより、測定精度が向上したバイオセンサに関する。
【背景技術】
【０００２】
近年、糖尿病の診断および防止のために、血液中のグルコースレベル（血液グルコース）を定期的に測定する必要性が高まっている。血液グルコースは、手持ち式で携帯型の測定デバイスを使用することによって、簡単に測定することができる。特に、個人の患者は、ストリップ（strip）形状のバイオセンサを使用して血液グルコースを簡単に測定することができる。このような血液グルコースを測定するためのバイオセンサは、比色法または電気化学的方法の動作原理に基づいている。
【０００３】
これらの間で、電気化学的方法は、以下の反応式Ｉで説明され、そもそも電子移動メディエータを使用することで特徴付けられる。電子移動メディエータは、例えばフェロセンおよびフェロセン誘導体、キノンおよびキノン誘導体、遷移金属（例えば、ヘキサアミンルテニウム、オスミウム含有のポリマー、フェリシアン化カリウムなど）を含有する有機および無機材料、ならびに、伝導有機塩およびビオロゲンなどの電子移動有機材料を含んでもよい。
【０００４】
［反応式１］
（１）グルコース＋ＧＯｘ−ＦＡＤ→グルコン酸＋ＧＯｘ−ＦＡＤＨ２
（２）ＧＯｘ−ＦＡＤＨ２＋電子移動メディエータ（酸化状態）→ＧＯｘ−ＦＡＤ＋電子移動メディエータ（還元状態）
（反応式１において、ＧＯｘは、グルコースオキシダーゼを示し、ＧＯｘ−ＦＡＤおよびＧＯｘ−ＦＡＤＨ２はそれぞれ、グルコースオキシダーゼの活性部位であるフラビンアデニンジヌクレオチド（ＦＡＤ）の酸化状態および還元状態を示す。）
【０００５】
反応式１に示されるように、血液中のグルコースはまず、グルコースオキシダーゼの触媒作用によってグルコン酸へと酸化される（１）。このステップにおいて、グルコースオキシダーゼの活性部位であるＦＡＤは、ＦＡＤＨ２に還元される。そして、還元されたＦＡＤＨ２は、電子移動メディエータによる酸化還元反応を介してＦＡＤへと酸化され、電子移動メディエータを還元する（２）。得られた還元状態の電子移動メディエータは、電極の表面へ広がることができる。そして、血液グルコース濃度は、還元状態の電子移動メディエータの酸化電位が作用電極の表面に適用された場合に生成される電流を測定することによって決定される。
【０００６】
血液サンプル中の酸素の影響を低減する必要がある場合もあり、ＧＤＨ−ＦＡＤなどのグルコースデヒドロゲナーゼが、グルコースオキシダーゼＧＯｘ−ＦＡＤの代わりに使用される。酵素のタイプは様々であるが、反応全体は、反応式１における工程に従う。
【０００７】
動作原理として上記電気化学的方法を採用するバイオセンサは、電気化学的バイオセンサと呼ばれる。従来の比色法を使用するバイオセンサとは対照的に、電気化学的バイオセンサは、酸素の影響を低減することができ、サンプルが混濁した場合であっても、別の前処理なしでサンプルを使用することができる。
【０００８】
一般的に、電気化学的バイオセンサは、血液グルコースレベルを観察および制御するために使用されるが、センサの精度は、尿酸、アセトアミノフェンおよび酸化されやすいアスコルビン酸などの様々な干渉種によって大きく影響を受ける。
【０００９】
さらに、電気化学的バイオセンサの測定精度における深刻な誤差を引き起こす要因として、赤血球量体積率（すなわち、血液全体における赤血球の体積の比率；ヘマトクリット）が重要な役割を果たす。使い捨てのバイオセンサストリップを使用して自身のグルコースレベルを定期的に測定する人々にとって、ヘマトクリットレベルによって大きく影響を受けるバイオセンサは、測定結果において誤った判断をもたらすことがあるため、利用者の生命の危険さえも引きおこす。
【００１０】
したがって、ヘマトクリット検出における電気化学的バイオセンサの精度は、結果的に血液グルコース濃度の測定精度に直接的に影響を与えるため、ヘマトクリットの測定精度は非常に重要である。
【００１１】
特許文献１および２は、赤血球を分離するための方法、または、赤血球を除去して試薬層に適用する方法を開示している。
【００１２】
特許文献３は、シリカフィルタを含み、試薬／血球分離の統合機能を有する、スクリーン印刷可能な高感度層を使用するための方法を開示している。
【００１３】
特許文献４は、加電圧を二度適用すること（すなわち、二重励起電位）で取得された結果を、ケモメトリックス法（chemometric method）を介して数学的に処理する補正法を開示している。
【００１４】
測定精度は、電気伝導率を介してヘマトクリットを直接的に測定するための電極を提供、または、ヘマトクリットを別に測定するために酵素反応を測定するための電極とは別の抵抗を提供し、これらの結果を使用して酵素反応測定電極から取得したグルコース濃度を補正することによって向上する。従来技術として、毛細管タイプにおけるサンプルセル上に取り付けられた補助電極および作用電極を具備する使い捨てセンサの伝導率を介してヘマトクリットを測定することが可能な方法（特許文献５参照）、および、この方法を血液グルコース測定のためのバイオセンサに適用する例（特許文献６参照）が提案されている。
【００１５】
本発明は、伝導率を精度よく測定するためのセンサの製造を、大量生産することを意図したものである。血液電気伝導率（Ｇ）は、以下の式（１）に基づく。
Ｇ＝σＡ／Ｌ    （１）
【００１６】
式（１）において、Ｇは、Ω−１単位で表される電気伝導率を示し、σは、Ω−１ｃｍ−１単位で表される血液の伝導率係数を示し、Ａは、ｃｍ２単位で表される電極の面積を示し、Ｌは、ｃｍ単位で表される電極の間の距離を示す。結果的に、精度よく伝導率を測定するためには、電極間の一定の距離および電極の一定の面積が重要になる。
【００１７】
しかしながら、従来技術の手法は、大量生産タイプのバイオセンサにおいてヘマトクリットの測定のための電極の、電極間の距離および伝導率測定電極の面積を一定にするために、どのようにして調節するかについては開示していない。
【００１８】
電気化学的バイオセンサにおいて、電極は殆どの場合において印刷方式によって形成される。しかしながら、印刷は構成材料に応じて求められるように正確に実行されるわけではなく、電極の傾斜端部は少し流れ下がる傾向にあるので、電極の印刷中に、電極間の距離および電極の領域の偏差が発生しやすい。また、印刷された電極が厚くなるほど、傾斜端部で起こる反応が全体的に測定により大きな影響を与える。
【００１９】
電極の印刷中に生じる誤差がたとえ小さいものであっても、作用電極および補助電極の面積は大いに変化するというもう一つの問題がある。このような電極の面積の不均一性は、酵素反応のための電極よりも、交流電流を直接的に使用して伝導率を測定する電極において、より厳密になる傾向にあるため、ヘマトクリットを補正係数として使用する血液グルコース測定の精度および正確性の低減を招く。
【００２０】
したがって、本発明者らは、ヘマトクリット測定の精度がより向上された電気化学的バイオセンサを研究し、測定されたヘマトクリット値を補正するための第１電極部および血液グルコース濃度を測定するための第２電極部を含む電気化学的バイオセンサにおいて、絶縁カバーを作用電極および補助電極よりも薄く作成することで、印刷中に位置決め誤差が生じた場合であっても、絶縁カバーによって、血液サンプルに対して露出している第１電極部の第１作用電極および第１補助電極の面積が同じになり、電極の面積が一定に保持されることを見出し、本発明を完成させた。
【先行技術文献】
【特許文献】
【００２１】
【特許文献１】特開２０００−３３８０７６号公報
【特許文献２】米国特許第５６５８４４４号明細書
【特許文献３】米国特許第６２４１８６２号明細書
【特許文献４】国際公開第０１／５７５１０号明細書
【特許文献５】米国特許第４３０１４１２号明細書
【特許文献６】米国特許出願公開２０１１／０１３９６３４号明細書
【発明の概要】
【発明が解決しようとする課題】
【００２２】
本発明の１つの目的は、ヘマトクリット測定おける向上した精度を備えた、血液グルコースを測定するための電気化学的バイオセンサを提供することにある。
本発明のもう１つの目的は、バイオセンサを使用してヘマトクリット値を分析することによって、血液グルコース濃度を正確に測定するための方法を提供することにある。
【課題を解決するための手段】
【００２３】
上記目的を達成するために、本発明は、電気化学的バイオセンサを提供し、該電気化学的バイオセンサは、
下部基板、
前記下部基板上に形成される第１作用電極および第１補助電極を含む、第１電極部、
前記下部基板上に形成される第２作用電極および第２補助電極を含む、第２電極部、
前記第２作用電極上または前記第２補助電極上に形成される試薬層であって、電子移動メディエータを含む、前記試薬層、
【００２４】
第１、第２および第３反応ユニットに対応する領域であって、その各々が空洞を有するように区分された領域を有する絶縁カバーであって、前記第１反応ユニットは前記第１作用電極の位置にあり、前記第２反応ユニットは前記第１補助電極の位置にあり、前記第３反応ユニットは前記第２作用電極の位置にある、前記絶縁カバー、
血液サンプルを前記第１電極部および前記第２電極部の中へ連続して導くためのマイクロチャネルサンプルセル部を具備する、中間基板、および、
上部基板を含み、
前記第１反応ユニットおよび前記第２反応ユニットにおいて露出している第１作用電極および第１補助電極の面積およびその間の距離は、絶縁カバーを利用することによって一定である。
【００２５】
さらにまた、本発明は、ヘマトクリット値を利用することによって、血液グルコース濃度をこのバイオセンサを使用して正確に測定するための方法を提供し、該方法は、
マイクロチャネルサンプルセル部の中へ血液サンプルを導入すること（ステップ１）、
第１電極部において血液サンプルの電気伝導率を測定することによって、ヘマトクリット値を計算すること（ステップ２）、
第２電極部において信号を測定することによって、グルコース濃度を計算すること（ステップ３）、および、
第１電極部において計算されたヘマトクリット値を適用することによって、第２電極部において計算されたグルコース濃度を補正すること（ステップ４）、
を含む。
【発明の効果】
【００２６】
本発明によれば、測定されたヘマトクリット値を補正するための第１電極部、および、グルコース濃度を測定するための第２電極部を含む、電気化学的バイオセンサは、絶縁カバーが作用電極および補助電極よりも薄く作成され、印刷中に位置決め誤差が生じた場合であっても、絶縁カバーによって、血液サンプルに対して露出している第１電極部の第１作用電極および第１補助電極の面積が同じになり、第１作用電極および第１補助電極の間の距離が一定になり、電極の面積が一定に保持されるため、測定されるヘマトクリット値の精度をより向上させる効果があり、さらに、補正のために測定されたヘマトクリット値を使用して測定される血液グルコース濃度の精度をより向上させる。
【図面の簡単な説明】
【００２７】
【図１】図１は、電気化学的プレーナーバイオセンサの分解斜視図であり、本発明の例１に係る電気化学的バイオセンサは、第１作用電極および第１補助電極を有し、これらは血液サンプルに対して露出し、血液流入方向に対して垂直に位置付けられ、電極の面積および電極間の距離は、絶縁カバー６を利用することによって一定に保持される。
【図２】図２は、図１における電極部の拡大図である。
【００２８】
【図３】図３は、本発明の比較例１に係る電気化学的バイオセンサの拡大図であり、血液サンプルに対して露出する第１作用電極および第１補助電極の面積は、絶縁カバーによって規定されていない。
【図４】図４は、本発明の比較例２に係る電気化学的バイオセンサを示すプレーナーセンサの拡大図であり、血液サンプルに対して露出している第１作用電極および第１補助電極は、血液流入方向に対して連続的に位置付けられる。
【００２９】
【図５】図５は、図１における第１作用電極および第１補助電極の傾斜端部を図示した典型的な図である。
【図６】図６は、図２のように絶縁カバーで規定された電極の一部を示す顕微鏡画像である。
【図７】図７は、図３のように絶縁カバーで規定されていない電極の一部を示す顕微鏡画像である。
【００３０】
【図８】図８は、例１で製造されたセンサを使用した、電気伝導率対ヘマトクリットの測定結果を示すグラフである（ここで、％Ｈｃｔは、％ヘマトクリットを意味する）。
【図９】図９は、比較例１で製造されたセンサを使用した、電気伝導率対ヘマトクリットの測定結果を示すグラフである（ここで、％Ｈｃｔは、％ヘマトクリットを意味する）。
【図１０】図１０は、比較例２で製造されたセンサを使用した、電気伝導率対ヘマトクリットの測定結果を示すグラフである（ここで、％Ｈｃｔは、％ヘマトクリットを意味する）。
【発明を実施するための形態】
【００３１】
以下、本発明をより詳細に説明する。
本発明は、電気化学的バイオセンサを提供し、該電気化学的バイオセンサは、
下部基板、
前記下部基板上に形成される第１作用電極および第１補助電極を含む、第１電極部、
前記下部基板上に形成される第２作用電極および第２補助電極を含む、第２電極部、
前記第２作用電極上または前記第２補助電極上に形成される試薬層であって、電子移動メディエータを含む、前記試薬層、
【００３２】
各々が空洞を有するように区分され、それぞれ第１、第２および第３反応ユニットに対応した領域を有する絶縁カバーであって、前記第１反応ユニットは前記第１作用電極の位置に設けられ、前記第２反応ユニットは前記第１補助電極の位置に設けられ、前記第３反応ユニットは前記第２作用電極の位置に設けられる、前記絶縁カバー、
血液サンプルを前記第１電極部および前記第２電極部の中へ連続して導くためのマイクロチャネルサンプルセル部を具備する、中間基板、および、
上部基板を含み、
前記第１反応ユニットおよび前記第２反応ユニットに対して露出している第１作用電極および第１補助電極の面積およびその間の距離は、絶縁カバーを利用することによって一定である（図１および２参照）。
【００３３】
本発明に係るバイオセンサにおいて、下部基板は、バイオセンサのボード（board）の役割を果たす。下部基板のための材料として、セラミック、ガラス板または高分子材料を使用してもよい。好ましくは、ポリエステル、ポリ塩化ビニルおよびポリカーボネートなどの有機高分子材料を使用してもよい。
本発明に係るバイオセンサにおいて、第１電極部は、血液サンプルの電気伝導率を測定することによって、ヘマトクリット値を分析する役割を果たす。
【００３４】
一般的に、血液グルコース濃度の精度の高い測定は、糖尿病患者への処方のために必要である。誤差は、患者の血液ヘマトクリット値に応じてグルコース濃度値を測定する場合に発生するため、誤差を補正する工程が必要である。
【００３５】
特に、第１作用電極および第１補助電極を含む第１電極部は、１ｋＨｚ以上の交流（ＡＣ）電圧を適用することによって測定される電気伝導率を介して、血液サンプル中のヘマトクリット値を分析することができ、また、測定されたヘマトクリット値を使用して、血液サンプル中のグルコース濃度を補正することで、血液グルコース濃度をより精度良く測定することができる。
【００３６】
本発明に係るバイオセンサにおいて、第２電極部は、血液サンプル中のグルコース濃度を測定する役割を果たす。
特に、第２電極部は、第２作用電極および第２補助電極を含み、直流（ＤＣ）電圧を適用することによって、血液サンプル中のグルコース濃度を測定する。
【００３７】
本発明に係るバイオセンサに使用される電極の材料は、任意の伝導性材料であってもよく、特に限定されるものではない。伝導性材料は、例えば、銀エポキシ、パラジウム、銅、金、プラチナ、イリジウム、銀／塩化銀、炭素、および、特定の酸化還元対または他の添加剤が補充された修飾炭素を含んでもよい。作用電極および補助電極は、スクリーン印刷、物理的気相成長法、または、エッチング工程をボード上またはボード上の伝導性材料に施すこと、または、伝導性テープを取り付けることで形成してもよい。
【００３８】
本発明に係るバイオセンサにおいて、電子移動メディエータを含む試薬層は、酸化還元酵素をさらに含む。
酸化還元酵素は、測定されるグルコースとの反応を介して還元される。そして、還元された酵素は電子移動メディエータと反応し、それによりグルコースを定量化する。酸化還元酵素は、例えばフラビンアデニンジヌクレオチド−グルコースデヒドロゲナーゼ（ＦＡＤ−ＧＤＨ）、ニコチンアミドジヌクレオチド−グルコースデヒドロゲナーゼ（ＮＡＤ−ＧＤＨ）、ピロロキノリンキノン−グルコースデヒドロゲナーゼ（ＰＱＱ−ＧＤＨ）、グルコースオキシダーゼ（ＧＯｘ）などを含んでもよい。
【００３９】
さらにまた、電子移動メディエータは、グルコースとの反応を介して還元された酵素と共に酸化還元反応を実行する。得られた還元状態の電子移動メディエータは、酸化電位が適用される電極の表面上に電流を生成する役割を果たす。
【００４０】
電子移動メディエータとして、金属含有錯体およびチオニンまたはこれらの誘導体が共に混合され使用されてもよい。しかしながらまた、例えば、ヘキサアンミンルテニウム（ＩＩＩ）塩化物、フェリシアン化カリウム、フェロシアン化カリウム、ジメチルフェロセン（ＤＭＦ）、フェリシニウム、フェロセンモノカルボン酸（ＦＣＯＯＨ）、７，７，８，８−テトラシアノキノ-ジメタン（ＴＣＮＱ）、テトラチアフルバレン（ＴＴＦ）、ニッケロセン（Ｎｃ）、Ｎ−メチルアシジニウム（ＮＭＡ＋）、テトラシアテトラセン（III)、Ｎ−メチルフェナジニウム（ＮＭＰ＋）、ヒドロキノン、３−ジメチルアミノ安息香酸（ＭＢＴＨＤＭＡＢ）、３−メチル−２−ベンゾチオゾリノンヒドラゾン、２−メトキシ−４−アリルフェノール、４−アミノアンチピリン（ＡＡＰ）、ジメチルアニリン、４−アミノアンチピレン、４−メトキシナフトール、３，３’，５，５’−テトラメチルベンジジン（ＴＭＢ）、２，２−アジノ−ジ−［３−エチル−ベンズチアゾリンスルホナート］、ｏ−ジアニシジン、ｏ−トルイジン、２，４−ジクロロフェノール、４−アミノフェナゾン、ベンジジン、プルシアンブルー、ビピリジン−オスミウム錯体などの従来使用されている化合物を使用してもよい。
【００４１】
一般的に、ヘマトクリット値を分析する場合、精度良く測定するために、作用電極および補助電極が同じ面積を有するように作成することは重要な事である。しかしながら、電極がバイオセンサ上に印刷され大量生産される場合、印刷は構成材料（例えば、炭素電極）に応じて求められるように正確に実行されるわけではなく、電極の傾斜端部は少し流れる傾向にある。また、印刷された電極が厚くなるほど、電極の傾斜端部の面積が大きくなり、不特定に起こる反応が増加するため、結果的にエッジ効果が増加する。このことは、測定されたヘマトクリット値の正確さおよび信頼度が低減するという点において問題がある。
【００４２】
上記の問題を解決するために、本発明は、図１および２に示されるように、血液サンプル対して露出している第１作用電極および第１補助電極を実質的に一定の面積を有するように作成し、絶縁カバーを使用してこれらの間の距離を一定に保持することによって測定誤差を低減する。
【００４３】
さらに具体的には、印刷中の流れ（flow-down）現象によって生じる伝導率値における誤差は、絶縁カバーを、下部基板の上面から第１作用電極および第１補助電極の上面までを測定した厚さより小さな厚さを有するように形成することで抑えても良い（図５参照）。
【００４４】
絶縁カバーを電極より薄く形成する好ましい例は、疎水性の絶縁インクが使用され得る印刷方法である。疎水性の絶縁インクとして、ポリアクリル、エポキシおよびセラミックベースの疎水性インクを使用してもよい。
【００４５】
また、第１反応部および第２反応部は、それらが少なくとも部分的に重なるように、血液がそれに沿ってマイクロチャネルサンプルセル部の中へ流れる方向である縦方向に対して垂直な線上の位置に設けられ、第１反応部は、絶縁カバーによって規定される第１作用電極の位置に設けられ、第２反応部は、第１補助電極の位置に設けられる。
【００４６】
好ましくは、第１作用電極に位置付けられる第１反応部および第１補助電極に位置付けられる第２反応部は、同じ形状（例えば、長方形、正方形、円および楕円形状）である。好ましくは、長方形形状または正方形形状が、製造には便利である。
【００４７】
より好ましくは、第１作用電極の位置に設けられる第１反応部および第１補助電極の位置に設けられる第２反応部は、血液がそれに沿ってマイクロチャネルサンプルセル部の中へ流れる方向である縦方向に対して垂直な線上において、縦方向の中心線に対してデカルコマニー形状で位置付けられる。
【００４８】
図３に示されるように、第１作用電極および第１補助電極の間に絶縁カバーが形成されない場合、作用電極および補助電極の面積が大きく変化するという問題が生じる。
【００４９】
本発明に係るバイオセンサにおいて、マイクロチャネルサンプルセル部を具備する中間基板は、血液サンプルを第１電極部および第２電極部の中へ連続的に導く役目を果たし、中間基板の両面に塗布された接着剤を介して、上部基板および下部基板を取り付ける役目も果たす。
【００５０】
血液サンプルのより簡単な導入を考慮すると、幅０．５〜２ｍｍ、高さ５０〜２５０μｍのマイクロチャネルがマイクロチャネルサンプルセル部に形成されることが好ましい。
【００５１】
本発明に係る電気化学的バイオセンサにおいて、上部基板は、キャピラリーを利用して上記マイクロチャネルサンプルセル部を介して血液サンプルを導入することを促進するための排気口を有し、バイオセンサの仕上げ材の役目を果たす。
【００５２】
さらにまた、本発明は、バイオセンサを使用してヘマトクリット値を適用することで血液グルコース濃度を正確に測定するための方法を提供し、該方法は、以下を含む。
【００５３】
マイクロチャネルサンプルセル部の中へ血液サンプルを導入すること（ステップ１）、
第１電極部において血液サンプルの電気伝導率を測定することによって、ヘマトクリット値を計算すること（ステップ２）、
第２電極部において信号を測定することによって、グルコース濃度を計算すること（ステップ３）、および、
第１電極部において計算されたヘマトクリット値を適用することによって、第２電極部において計算されたグルコース濃度を補正すること（ステップ４）。
【００５４】
本発明に係る方法は、ステップバイステップでより詳細に説明される。
本発明に係る方法において、ステップ１は、サンプルセル部の中へ血液サンプルを導入するステップである。
【００５５】
血液の採取において、最小限の痛みで患者から血液サンプルを採取するために好ましい量の血液サンプルは、０．１〜０．７μｌの範囲である。サンプルは、前処理工程なしで導入される。本発明の測定方法において使用されるバイオセンサを使用することで、血液グルコースは、小さな量の血液サンプルから精度よく迅速に測定することができる。これは、幅０．５〜２ｍｍ、高さ５０〜２５０μｍのマイクロチャネルがバイオセンサのマイクロチャネルサンプルセル部に形成され、血液サンプルの導入を促進するためである。
【００５６】
本発明に係る方法において、ステップ２は、第１電極部において血液サンプルの電気伝導率を測定することによって、ヘマトクリット値を計算するステップであり、ステップ３は、第２電極部において信号を測定することによって、グルコース濃度を計算するステップである。
【００５７】
特に、全ての測定手順は、第１および第２電極部それぞれの作用電極および補助電極の間で、ＤＣ、低周波数または高周波数ＡＣ、高インピーダンスまたは様々なタイプのパルス、好ましくは、矩形波、三角波、半正弦波、または、ガウス波を使用することによって制御してもよい。
【００５８】
１つの例として、本発明に係るバイオセンサがその測定デバイスの中へ挿入される場合、所定の事前設定されたＡＣ電圧が、第１および／または第２電極部の作用電極および補助電極の間に適用される。作用電極および補助電極に適用される電圧は独立しており、回路全体は開回路を形成する。サンプルの導入による電位変化は、開回路状態における電位差として表れる。電位差信号は、バイオセンサの測定工程のためのスタート信号として使用される。
【００５９】
好ましくは、電子移動メディエータを含む試薬層が、第２作用電極または第２補助電極上のどちらかに形成され、電極は、これらがお互いに２０μｍ〜２ｍｍの、より好ましくは、８０μｍ〜０．５ｍｍの間隙を介すように配置される。加えて、試薬層は酸化還元酵素をさらに含んでもよく、また、追加的に脂肪酸および第４級アンモニウムを含む。
【００６０】
ここで、酸化還元酵素として、フラビンアデニンジヌクレオチド−グルコースデヒドロゲナーゼ（ＦＡＤ−ＧＤＨ）、ニコチンアミドジヌクレオチド−グルコースデヒドロゲナーゼ（ＮＡＤ−ＧＤＨ）、ピロロキノリンキノン−グルコースデヒドロゲナーゼ（ＰＱＱ−ＧＤＨ）、グルコースオキシダーゼ（ＧＯｘ）などを使用することも可能である。
【００６１】
電子移動メディエータとして、金属含有錯体およびチオニンまたはこれらの誘導体が共に混合され使用されてもよい。しかしながらまた、例えば、ヘキサアンミンルテニウム（ＩＩＩ）塩化物、フェリシアン化カリウム、フェロシアン化カリウム、ジメチルフェロセン（ＤＭＦ）、フェリシニウム、フェロセンモノカルボン酸（ＦＣＯＯＨ）、７，７，８，８−テトラシアノキノ-ジメタン（ＴＣＮＱ）、テトラチアフルバレン（ＴＴＦ）、ニッケロセン（Ｎｃ）、Ｎ−メチルアシジニウム（ＮＭＡ＋）、テトラシアテトラセン（III)、Ｎ−メチルフェナジニウム（ＮＭＰ＋）、ヒドロキノン、３−ジメチルアミノ安息香酸（ＭＢＴＨＤＭＡＢ）、３−メチル−２−ベンゾチオゾリノンヒドラゾン、２−メトキシ−４−アリルフェノール、４−アミノアンチピリン（ＡＡＰ）、ジメチルアニリン、４−アミノアンチピレン、４−メトキシナフトール、３，３’，５，５’−テトラメチルベンジジン（ＴＭＢ）、２，２−アジノ−ジ−［３−エチル−ベンズチアゾリンスルホナート］、ｏ−ジアニシジン、ｏ−トルイジン、２，４−ジクロロフェノール、４−アミノフェナゾン、ベンジジン、プルシアンブルー、ビピリジン−オスミウム錯体などの従来使用されている化合物を使用してもよい。
【００６２】
本発明に係る方法において、ステップ４は、第１電極部において計算されたヘマトクリット値を適用することによって、第２電極部において計算されたグルコース濃度を補正するステップである。第１および第２電極部の測定順序は、限定されない。
【００６３】
特に、ヘマトクリットは、第１電極部において測定された伝導率値を使用して、測定デバイスに事前に入力されたヘマトクリットの補正方程式を介して測定される。そして、測定値の高い精度は、ヘマトクリットの影響が事前に入力された各ヘマトクリットの補正方程式を使用して反映される補正値の中へ、第２電極部において測定された血液グルコース値を計算することで得られる。
【００６４】
上記のように、本発明に係る、測定されたヘマトクリット値を補正するための第１電極部、および、グルコース濃度を測定するための第２電極部を含む、電気化学的バイオセンサは、絶縁カバーが作用電極および補助電極よりも薄く作成され、印刷中に位置付け誤差が生じた場合であっても、絶縁カバーによって、血液サンプルに対して露出している第１電極部の第１作用電極および第１補助電極の面積が同じになり、第１作用電極および第１補助電極の間の距離が一定になり、電極の面積が一定に保持されるため、測定されたヘマトクリット値の精度をより向上させる効果があり、さらに、補正のために測定されたヘマトクリット値を使用して測定された血液グルコース濃度の精度をより向上させる。
【００６５】
本発明を実施するための形態
以下、本発明は、下記の例を参照してより詳細に説明される。しかしながら、下記の例は、例示を目的としたものであり、本発明の内容を限定することを意図していない。
【００６６】
＜例１＞ヘマトクリット値を測定するための作用電極および補助電極の面積が絶縁カバーによって一定に規定されたプレーナーバイオセンサの製造１。
図１に示されるように、平均値０．５μｌの導入量のセル導入部を有するプレーナーバイオセンサが、プレーナーバイオセンサの例として製造された。プレーナーバイオセンサは、韓国特許出願１０−２００３−００３６８０４号明細書、韓国特許出願１０−２００５−００１０７２０号明細書、韓国特許出願１０−２００７−００２０４４７号明細書、韓国特許出願１０−２００７−００２１０８６号明細書、韓国特許出願１０−２００７−００２５１０６号明細書、韓国特許出願１０−２００７−００３０３４６号明細書、および、E. K. Bauman et al., Analytical Chemistry, vol 37, p 1378, 1965; K. B. Oldham in "Microelectrodes: Theory and Applications," Kluwer Academic Publishers, 1991., などに公開された方法を参照して製造された。
【００６７】
図１において、
１は、ポリエステルで作られた下部基板であり、その上には作用電極および補助電極が形成されている。
２〜５は、スクリーン印刷炭素／グラファイトで製造された電極である（２は、第１作用電極、３は、第１補助電極、４は、第２作用電極、５は、第２補助電極）。
６は、第１電極部および第２電極部を規定し、同様に第１作用電極および第１補助電極の面積を規定する、絶縁カバーである。
７は、酸化還元酵素および電子移動メディエータを含む、試薬層である。
【００６８】
８は、０．１０ｍｍの厚さを有し、血液サンプルを第１電極部および第２電極部に連続的に導くためのマイクロチャネルサンプルセル部を具備する、中間基板であって、中間基板は、その両面に塗布された接着剤を介して、下部基板および上部基板を取り付ける役目を果たす。
９は、ポリエステルで作成され、マイクロチャネルサンプルセル部の中へ血液を浸透させるための排気口を具備する、上部基板である。
１０は、排気口である。
【００６９】
＜比較例１＞ヘマトクリットを測定するための作用電極および補助電極の面積が規定されていないプレーナーバイオセンサの製造１。
図３に示されるように、バイオセンサは、例１と同じ方法で製造され、絶縁カバー６は、第１作用電極および第２作用電極の間には配置されていない。
【００７０】
＜比較例２＞ヘマトクリットを測定するための作用電極および補助電極の面積が規定されていないプレーナーバイオセンサの製造２
図４に示されるように、バイオセンサは、例１と同じ方法で製造され、絶縁カバー６は、第１および第２電極が血液流入方向の方向に対して連続的に位置付けられ、絶縁カバーによって規定されないように提供される。
【００７１】
＜実験例１＞ヘマトクリットのための伝導率測定
例１、比較例１および２において製造されたバイオセンサのヘマトクリット測定の精度を調査するために、以下のような実験が行われた。
特に、最大振幅８１ｍｖ、２．５ｋＨｚの交流周波数が、第１電極に適用され、０、１０、２０、３０、４０、５０、６０および７０％のヘマトクリットを有する準備がある血液の伝導率が５回測定された。結果は、下の表１および図８〜１０に示される。
【表１】
0005873215.tif 000002
【００７２】
図８は、例１で製造されたセンサを使用した、電気伝導率対ヘマトクリットの測定結果を示すグラフである（ここで、％Ｈｃｔは、％ヘマトクリットを意味する）。
図９は、比較例１で製造されたセンサを使用した、電気伝導率対ヘマトクリットの測定結果を示すグラフである（ここで、％Ｈｃｔは、％ヘマトクリットを意味する）。
図１０は、比較例２で製造されたセンサを使用した、電気伝導率対ヘマトクリットの測定結果を示すグラフである（ここで、％Ｈｃｔは、％ヘマトクリットを意味する）。
【００７３】
図８〜１０に示されるように、％ヘマトクリット毎の伝導率の傾きは、第１作用電極および第２作用電極の間の距離（ｄ１）が、比較例１における距離（ｄ２）よりも長いため（背景技術節、式（１）参照）、例１において−０．０００８として測定され、比較例１において−０．００１１として測定される。
【００７４】
表１に示されるように、平均標準偏差を傾き
【数１】
0005873215.tif 000003
で除して得られる値は、例１において、−０．７０３、比較例１において、−２．６４８である。したがって、例１のバイオセンサは、約３．８倍（＝（−２．６４８）／（−０．７０３））のより正確な性能を示すといえる。さらに、平均標準偏差を傾き
【数２】
0005873215.tif 000004
で除して得られる値は、比較例２において、−２．０９４である。したがって、例１におけるバイオセンサは、約４．１倍（＝（−２．９０４）／（−０．７０３））のより正確な性能を示すといえる。さらに、比較例２の構造は、測定に必要な血液の量が増加するため、利用者の利便性の観点から望ましくない。
【００７５】
図５に示されるように、これらの結果は、本発明に係る絶縁カバーが、炭素／グラファイトの厚さの２倍以上薄い厚さであり、それゆえにより精度よく面積を規定するのに効果的であることを示している。また、図７に示されるように、印刷された炭素／グラファイト電極の傾斜端部は、丸くなり面積を微妙に規定することを困難にする一方で、図６に示されたような絶縁カバーがその上に印刷された炭素／グラファイト電極の傾斜端部は、略直角を有するように規定することができることが見出された。
【００７６】
したがって、本発明に係る電気化学的バイオセンサは、絶縁カバーによって、第１および第２反応ユニットに露出している第１作用電極および第１補助電極の面積およびその間の距離を可能な限り一定に保持することによって、測定精度を大きく向上する効果を有するため、本発明は、電気化学的バイオセンサとして有益である。
【産業上の利用可能性】
【００７７】
上記のように、本発明によれば、測定されたヘマトクリット値を補正するための第１電極部、および、グルコース濃度を測定するための第２電極部を含む、電気化学的バイオセンサは、絶縁カバーが作用電極および補助電極よりも薄く作成されるため、印刷中に位置決め誤差が生じた場合であっても、絶縁カバーによって、血液サンプルに対して露出している第１電極部の第１作用電極および第１補助電極の面積が同じになり、第１作用電極および第１補助電極の間の距離が一定になり、電極の面積が一定に保持されるため、測定されたヘマトクリット値の精度をより向上させる効果があり、さらに、補正のために測定されたヘマトクリット値を使用して測定された血液グルコース濃度の精度をより向上させる。
【符号の説明】
【００７８】
１：下部基板
２：第１作用電極
３：第１補助電極
４：第２作用電極
５：第２補助電極
６：絶縁カバー
７：試薬層
８：中間基板
９：上部基板
１０：排気口
【図１】
0005873215.tif 000005
【図２】
0005873215.tif 000006
【図３】
0005873215.tif 000007
【図４】
0005873215.tif 000008
【図５】
0005873215.tif 000009
【図６】
0005873215.tif 000010
【図７】
0005873215.tif 000011
【図８】
0005873215.tif 000012
【図９】
0005873215.tif 000013
【図１０】
0005873215.tif 000014